(57)【要約】【課題】異なるＲ寸法等の変更を行う際にスローアウェイチップと被加工物のガイド手段との相対的な間隔の調節を不要とする。【解決手段】面取り加工装置のチップ保持部に対して着脱可能で、異なる切削半径若しくは異なる切削寸法を有する相互に取替可能な複数のスローアウェイチップからなり、被加工物を前記スローアウェイチップへ案内する平面視二本のガイド仮想線が略直交し、その交点が当該取替可能な複数のスローアウェイチップにおける同一位置であり、且つ、当該交点へ向けてガイドされる被加工物に対する面取り刃を備えた面取り加工装置用スローアウェイチップセット。【選択図】図１
2015134391.tif 000002
【特許請求の範囲】
【請求項１】
面取り加工装置のチップ保持部に対して着脱可能で、異なる切削半径若しくは異なる切削寸法を有する相互に取替可能な複数のスローアウェイチップからなる面取り加工装置用スローアウェイチップセットにおいて、
被加工物を前記スローアウェイチップへ案内する平面視二本のガイド仮想線が略直交し、その交点が当該取替可能な複数のスローアウェイチップにおける同一位置であり、
且つ、当該交点へ向けてガイドされる被加工物に対する面取り刃を備えたことを特徴とする面取り加工装置用スローアウェイチップセット。
【請求項２】
前記面取り刃から開口側に連続する逃げ角を有することを特徴とする請求項１記載の面取り加工装置用スローアウェイチップセット。
【請求項３】
前記面取り刃は、Ｒ面取り刃であることを特徴とする請求項１又は２記載の面取り加工装置用スローアウェイチップセット。
【請求項４】
前記面取り刃は、Ｃ面取り刃であることを特徴とする請求項１又は２記載の面取り加工装置用スローアウェイチップセット。
【請求項５】
スローアウェイチップを取替可能な切削手段し、被加工物のガイド手段を備える面取り加工装置であって、スローアウェイチップと前記ガイド手段との距離を調節可能とする手段を有さず、且つ、前記請求項１、２、３、又は４記載の面取り加工装置用スローアウェイチップセットにおけるスローアウェイチップを備えることを特徴とする面取り加工装置。
【発明の詳細な説明】
【技術分野】
【０００１】
本発明は、面取り加工装置に使用され、相互に交換可能な複数のスローアウェイチップからなる面取り加工装置用スローアウェイチップセットと、当該面取り加工装置用スローアウェイチップセットのスローアウェイチップを備える面取り加工装置に関する。
【背景技術】
【０００２】
従来、被加工物の面取り加工を可能とする種々の切削加工装置が公知である。このような切削加工装置のうち、特に面取り加工に特化した構成を備えたものとして、金属材料又は、非金属材料を送る台の一方を固定軸に対して回転可能とし、他の一方を蝶螺子により着脱可能とするとともに蝶螺子により固定する台の下部に昇降可能で微調整を行なえる螺子で、かつ先端部の送り台と接触する部分を球状とし、螺子の回転ハンドルと螺子を固定するためのダブルナットを配し、回転可能な固定軸と着脱可能な蝶螺子とのほぼ中間部分のモータの主軸に直結した刃物の取り付け軸とを有し、刃物の取り付け軸は被加工物の送り台に対し前後方向にモータを移動させる調整機構とを設けたことを特徴とする面取り加工装置が公知である（例えば、特許文献１参照。）。
【０００３】
また、金属等の切削用スローアウェイチップとして中央の取付穴の周囲四方に同じ大きさのＲ面取り刃を備えたものが周知である（例えば、特許文献２参照。）
【０００４】
また、本出願人がした曲面（Ｒ面）取り加工装置に関する発明として、駆動モータを４５度の傾斜状態でハウジング内に固定するとともに、該駆動モータの軸に、曲面切削チップを切削刃が水平となるように固定した曲面取りカッターを軸着して、後記被加工物支持テーブルの曲面取り加工空間に臨ませ、被加工物支持テーブルは、断面Ｖ字形の支持面を有しそのＶ字内頂部の長手方向中央部に、曲面取り加工空間を形成した構成であって、上下及び水平方向に調節移動自在としてハウジングに取付いていることを特徴とする曲面取り装置が公知である（例えば、特許文献３参照。）。
【０００５】
また、同文献の第１図には、併せてＲ面取り用のスローアウェイチップを開示している。一のスローアウェイチップは切削半径の異なる刃を備えている。刃はいずれも、当該スローアウェイチップの側端面から凹面を形成するように切欠形成される。即ち、相対的に小さい切削半径のものであれば切欠は小さくなり、当該スローアウェイチップの側面の開口は小さくなる。相対的に大きな切削半径のものであれば切欠は大きくなり、当該スローアウェイチップの側面の開口は大きくなる。
【先行技術文献】
【特許文献】
【０００６】
【特許文献１】特開平９−２３４６１６号公報
【特許文献２】登録意匠第９３２５５９号公報
【特許文献３】実開平５−５０５１９号公報
【発明の概要】
【発明が解決しようとする課題】
【０００７】
上記特許文献１に開示される面取り加工装置は、例えば、Ｃ面取りのもの、Ｒ面取り用のもの、さらには、異形状の面取り用の切削刃（スローアウェイチップ）を簡単に交換できるようにしている。
【０００８】
当該面取り加工装置は、被加工物の送り台を一方の回転軸を中心として他の一方を蝶螺子でスローアウェイチップを着脱可能とするようにし、かつ、蝶螺子取り付け部のＶブロックの固定台の下部に微調整可能なダブルナット方式の螺子を配し、この螺子の調整により面取り幅を変えるようにしている。
【０００９】
また、このような面取り加工装置は、例えば特許文献２に開示されるようなスローアウェイチップについて、複数の異なるＲ寸法（切削半径寸法）のものを交換することで、異なる切削半径寸法の刃に交換することが通常である。
【００１０】
そして、面取り用スローアウェイチップを交換する度に、その面取り幅を調節する必要がある。Ｒ面取り用のスローアウェイチップを使用する場合に至っては、異なるＲ寸法の当該スローアウェイチップを交換することもあり、切削半径寸法が異なるものに切り替える度にＲ面取り用のスローアウェイチップを交換することとなるが、その度にスローアウェイチップと被加工物との間隔を相対的に調節すべく螺子の調整作業が発生し、非常に面倒なものとなる。
【００１１】
また、上記特許文献３に開示されるＲ面取り加工用の面取り加工装置においては、スローアウェイチップと被加工物との間隔を相対的に調節するために上下方向及び水平方向の２軸でその都度調節を行わなければならず、同様に面倒なものとなっている。
【００１２】
以上のように、スローアウェイチップは、一のスローアウェイチップに異なる刃を設ける場合であっても、また、スローアウェイチップが同一の複数の刃を備えこれを異なる大きさの刃のものに交換する場合であっても、異なる大きさの刃は、当該スローアウェイチップの縁部側から必要に応じたＲ形状等が形成される。
そして、スローアウェイチップ自体の外形の大きさが同一であるにもかかわらず、異なる大きさの刃を備えたものに交換する度に、スローアウェイチップと被加工物との間隔を相対的に調節する必要を生じる欠点がある。
【００１３】
一方、上記面取り用加工装置は、より低廉で且つ軽量であれば非常に望ましいと考えられる。
【００１４】
本発明は以上の事情に鑑みてなされたものであり、Ｒ面取りにおける異なるＲ寸法への変更や、Ｃ面、Ｒ面等の異なる形状への変更等を行う際に、スローアウェイチップと被加工物との相対的な間隔の調節を不要とすることができる優れた面取り加工装置用スローアウェイチップと当該スローアウェイチップを備えた面取り加工装置の提供を、発明が解決しようとする課題とする。
【００１５】
また本発明は、上記面取り加工装置の提供について、更により低廉で且つ軽量な面取り加工装置の提供を、発明が解決しようとする課題とする。
【課題を解決するための手段】
【００１６】
本発明は、面取り加工装置のチップ保持部に対して着脱可能で、異なる切削半径若しくは異なる切削寸法を有する相互に取替可能な複数のスローアウェイチップからなる面取り加工装置用スローアウェイチップセットにおいて、
被加工物を前記スローアウェイチップへ案内する平面視二本のガイド仮想線が略直交し、その交点が当該取替可能な複数のスローアウェイチップにおける同一位置であり、
且つ、当該交点へ向けてガイドされる被加工物に対する面取り刃を備えたことを特徴とする面取り加工装置用スローアウェイチップセットを、課題を解決するための手段とする。
【００１７】
また、本発明は上記発明の構成を前提として、前記面取り刃より開口側に連続する逃げ角を有することを特徴とする面取り加工装置用スローアウェイチップセットを、課題を解決するための手段とする。
【００１８】
また、本発明は上記いずれかの発明の構成を前提として、前記面取り刃は、Ｒ面取り刃であることを特徴とするスローアウェイチップセットを、課題を解決するための手段とする。
【００１９】
また、本発明は前記発明の構成に代えて、前記面取り刃は、Ｃ面取り刃であることを特徴とするスローアウェイチップセットを、課題を解決するための手段とする。
【００２０】
更に本発明は、スローアウェイチップを取替可能な切削手段し、被加工物のガイド手段を備える面取り加工装置であって、スローアウェイチップと前記ガイド手段との距離を調節可能とする手段を有さず、且つ、上記何れかのスローアウェイチップセットにおけるスローアウェイチップを備えることを特徴とする面取り加工装置を、課題を解決するための手段とする。
【発明の効果】
【００２１】
本発明によれば、面取り加工装置のチップ保持部に対して着脱可能で、異なる切削半径若しくは異なる切削寸法を有する相互に取替可能な複数のスローアウェイチップからなる面取り加工装置用スローアウェイチップセットにおいて、被加工物を前記スローアウェイチップへ案内する平面視二本のガイド仮想線が略直交し、その交点が当該取替可能な複数のスローアウェイチップにおける同一位置であり、且つ、当該交点へ向けてガイドされる被加工物に対する面取り刃を備えた面取り加工装置用スローアウェイチップセットとしたことから、当該面取り加工装置用スローアウェイチップセットにおける異なる切削半径を有するスローアウェイチップを適宜代替させても、被加工物の位置決めが、当該スローアウェイチップの代替前と同一位置で可能となる。これによって、スローアウェイチップと被加工物との相対的な位置を変更することがなくなり、当該調節手段及び調節操作を不要とし、取扱いを容易とすることができる。
【００２２】
また本発明によれば、スローアウェイチップとガイド手段との相対的な位置の調節手段を有する既存の面取り加工装置に対しても使用することができ、当該既存の面取り加工装置に使用することでその調節手段を使用する必要をなくすことができ、当該調節手段及び調節操作を不要とすることができる。
【００２３】
本発明によれば、上記発明の構成を前提として、面取り刃から開口側に連続する逃げ角を有することとすることによって、上記発明の作用効果を奏する上に、面取り加工後における被加工物にバリ等の発生を生ずる可能性を大幅に低減させることができる。
【００２４】
また本発明によれば、上記何れかの発明の構成を前提として、面取り刃をＲ面取り刃、若しくはＣ面取り刃とすることで、夫々の面取り刃の形状に応じた面取りを行う上で、上記本発明の作用効果を得ることができる。
【００２５】
また本発明によれば、スローアウェイチップを取替可能な切削手段し、被加工物のガイド手段を備える面取り加工装置であって、スローアウェイチップと前記ガイド手段との距離を調節可能とする手段を有さず、且つ、前記いずれかの面取り加工装置用スローアウェイチップセットにおけるスローアウェイチップを備える面取り加工装置としたことによって、当該面取り加工装置用スローアウェイチップセットにおけるスローアウェイチップを取替えた際においても、何らスローアウェイチップと前記ガイド手段との距離を調節することなく行うことができる。
【００２６】
また本発明によれば、当該スローアウェイチップと前記ガイド手段との距離を調節可能とする手段を構成に備えないことによって、より簡単な構造で安価且つ軽量な面取り加工装置を提供することができる。
【図面の簡単な説明】
【００２７】
【図１】本発明の実施例１に係る小径、中径、大径のＲ面取り刃を備えるスローアウェイチップセットの平面図である。
【図２】本発明の実施例１に係るスローアウェイチップと、面取り加工装置におけるガイド面との関係を示す説明図である。
【図３】本発明の実施例に係る面取り加工装置の概略一部断面図である。
【図４】本発明の実施例２に係る小寸のＣ刃、中寸のＣ刃、大寸のＣ刃を備えるスローアウェイチップセットの平面図である。
【発明を実施するための形態】
【００２８】
本発明によれば、面取り加工装置のチップ保持部に対して着脱可能で、異なる切削半径若しくは異なる切削寸法を有する相互に取替可能な複数のスローアウェイチップからなり、被加工物を前記スローアウェイチップへ案内する平面視二本のガイド仮想線が略直交し、その交点が当該取替可能な複数のスローアウェイチップにおける同一位置であり、且つ、当該交点へ向けてガイドされる被加工物に対する面取り刃を備えたことによって、スローアウェイチップと被加工物との相対的な位置を変更することがなくなり、当該調節手段及び調節操作を不要とすることができ、面取り刃から開口側に連続する逃げ角を有することによって面取り加工後における被加工物にバリ等を発生させる可能性を大幅に低減させることができる優れた面取り加工装置用スローアウェイチップセットを実現した。
【実施例１】
【００２９】
本発明の実施例１に係る加工装置用スローアウェイチップセット１は、図１に示すように、小径のＲ面取り刃１０を有するスローアウェイチップ１ａ、中径のＲ面取り刃１０を有するスローアウェイチップ１ｂ、大径のＲ面取り刃１０を有するスローアウェイチップ１ｃからなる、３つのＲ面取り用のスローアウェイチップ１ａ、１ｂ、１ｃによって構成される。使用時には、これらのうちいずれかが選択使用される。
【００３０】
各スローアウェイチップ１ａ、１ｂ、１ｃは、平面視矩形の中央に雌螺子穴となる取付穴１２を備え、四方の各側面に開口するように夫々Ｒ寸法に対応した同一形状のＲ面取り刃１０を設けている。
小径のＲ面取り刃１０を備えるスローアウェイチップ１ａ及び中径のＲ面取り刃１０を備えるスローアウェイチップ１ｂは、夫々前記Ｒ面取り刃１０の両側に連続して平面状の逃げ面１１を設けておりこれらが側面に対して開口した構成としている。
また前記スローアウェイチップ１ａ、１ｂは前記逃げ面１１から連続して、各側面との境界部分を緩やかな曲面としている。スローアウェイチップ１ｃはＲ面取り刃の両端から連続して、当該スローアウェイチップ１ｃの側面との境界部分を緩やかな曲面としている。
これらの曲面は、逃げ面１１ｂとして機能する。
即ち、スローアウェイチップ１ａ、１ｂは前記逃げ面１１及びこれに連続する逃げ面１１ｂにより、バリ等の発生を抑制できる。また、スローアウェイチップ１ｃは逃げ面１１ｂにより、バリ等の発生を抑制できる。
【００３１】
そして、本実施例１に係る面取り加工装置用スローアウェイチップセット１を構成するこれらのスローアウェイチップ１ａ、１ｂ、１ｃは、共通するガイド仮想線Ｌ１、Ｌ２を有する。
この点が本願発明の最も特徴とするものである。
前記ガイド仮想線Ｌ１、Ｌ２とは、図２に示すように、ガイド手段２０におけるガイド面２０ａを延設した面を、スローアウェイチップを平面視した状態において表される仮想線Ｌ１、Ｌ２である。当該ガイド仮想線Ｌ１、Ｌ２は、面取り加工装置Ｄの構成によって具体的に特定される。
尚、本実施例１に面取り悪口装置用スローアウェイチップセット係るスローアウェイチップセット１においては、ガイド仮想線Ｌ１、Ｌ２は直交し、これに対して左右に５°ずつ逃げ角を形成した構成としている。
以下に、実施例１に係る加工装置用スローアウェイチップセット１を備える面取り加工装置Ｄの構成について説明する。
【００３２】
面取り加工装置Ｄは、図３に基本構成を示すように、金属製の筐体２１と、該筐体の一端に設けられ被加工物をガイドするためのガイド手段２０と、スローアウェイチップ１ａと、該スローアウェイチップ１ａを保持する保持部２２と、該保持部２２を介して前記スローアウェイチップ１ａを回転可能とするモータ２３を有する駆動部２４を備えている。
尚、ガイド手段２０とスローアウェイチップ１ａとの相対的な距離を調節する手段は備えていない。
【００３３】
ガイド手段２０は、本実施例１においては、ガイド面２０ａを有する２枚のガイド板、即ち、第一ガイド板ｄ１及び第二ガイド板ｄ２である。
当該ガイド手段２０は、ガイド面２０ａが直交した位置に配置されるが、スローアウェイチップ１ａを設置する箇所においては、前記第一ガイド板ｄ１と第二ガイド板ｄ２との境界における各ガイド板の夫々に切欠を形成し、開口部２０ｂを設けている。
【００３４】
保持部２２は、面取り加工装置Ｄ内に収納され、前記スローアウェイチップ１ａを保持する。そして、当該スローアウェイチップ１ａが前記開口部２０ｂ若しくはその近傍に位置するように配置されることで、第一ガイド板ｄ１及び第二ガイド板ｄ２からのガイド仮想線Ｌ１、Ｌ２の交点Ｃが、全てのスローアウェイチップ１ａ、１ｂ、１ｃにおける共通する位置にあるものとしている。
【００３５】
以上のようにガイド仮想線Ｌ１、Ｌ２の交点Ｃは、加工装置用スローアウェイチップセット１の全てのスローアウェイチップ１ａ、１ｂ、１ｃにおいて共通するところ、更に、厳密には、保持された各スローアウェイチップ１ａ、１ｂ、１ｃは切削時に回転するため、被加工物Ｗとの接触時における当該スローアウェイチップ１ａ、１ｂ、１ｃの位置において、ガイド仮想線Ｌ１、Ｌ２の交点Ｃが、全てのスローアウェイチップ１ａ、１ｂ、１ｃにおける共通する位置にある。
本実施例１においては、ガイド仮想線Ｌ１、Ｌ２の交点Ｃの具体的な位置は、平面視において対向する各辺の中点相互を結ぶ直線上で、且つ、取付穴１２に近接した位置としている。当該位置とすることによって、スローアウェイチップの縁部までの距離が大きく取れるため、より大きな寸法で、多数の異なるＲ寸法の面取りを行える利点がある。
【００３６】
以上の構成によって、本実施例に係る面取り加工装置Ｄの電源を投入し、駆動部２４の稼働によって、保持部２２及びこれに保持されたスローアウェイチップ１ａ（１ｂ、１ｃ）を回転させた状態で、ガイド手段２０の一端側から当該ガイド手段２０に対して被加工物Ｗを当接させてスライドさせることにより、開口部２０ｂの位置で、前記スローアウェイチップ１ａ（１ｂ、１ｃ）と被加工物Ｗとが接触し、面取り加工を行うことができる。
また、事前のスローアウェイチップ１ａ（１ｂ、１ｃ）と被加工物Ｗとの相対的な位置を調節する必要は何ら生じない。
【００３７】
そしてスローアウェイチップ１ａ（１ｂ、１ｃ）を交換する場合には、電源の入っていない状態において、筐体２１の一部を開放して、本実施例では螺子固定されたスローアウェイチップ１ａ（１ｂ、１ｃ）を脱着し、新たなスローアウェイチップ１ｂ（１ａ、１ｃ）に交換する。そして筐体２１を閉蓋する。
当該操作によって、スローアウェイチップ１ｂ（１ａ、１ｃ）と被加工物Ｗとの相対的な位置を変更する必要がなく、非常に取扱いを容易とすることができる。
【実施例２】
【００３８】
本発明の実施例２に係る加工装置用スローアウェイチップセット１は、図４に示すように、小寸のＣ刃を備えるスローアウェイチップ１ｄ、中寸のＣ刃を備えるスローアウェイチップ１ｅ、大寸のＣ刃を備えるスローアウェイチップ１ｆからなる、３つのＣ面取り用のスローアウェイチップ１ｄ、１ｅ、１ｆによって構成される。
【００３９】
本実施例２に係る各スローアウェイチップ１ｄ、１ｅ、１ｆは平面視矩形の中央に雌螺子穴となる取付穴１２を備え、四方の各側面に開口するように夫々Ｃ面の幅寸法に対応した同一形状のＣ面取り刃１３を設けている。
Ｃ面取り刃１３の開口と側面との境界には、曲面状の逃げ面１１ｂを形成してある。
またＣ面取り刃１３の各面の境界には、曲面上の逃げ面１１ｃを形成してある。
【００４０】
本実施例２に係る加工装置用スローアウェイチップセットを構成するこれらのスローアウェイチップ１ｄ、１ｅ、１ｆは、共通するガイド仮想線Ｌ１、Ｌ２を有する。
本実施例２においても、実施例１と同様の面取り加工装置Ｄにおいて、使用することができる。また、実施例１と面取りの形状が相違するものの、その他の構成、作用、効果は共通する。
【００４１】
また、本発明に係る面取り加工装置用スローアウェイチップセット１は、上記実施例１、実施例２に示すように、当該面取り加工装置用スローアウェイチップ１を構成するスローアウェイチップの全てがＲ面取り刃若しくはＣ面取り刃のいずれか一方に統一されていなくてもよい。即ち、Ｃ面取り用のスローアウェイチップとＲ面取り用のスローアウェイチップの双方において、共通する前記交点を備えることができる。
またスローアウェイチップは、Ｒ面、Ｃ面に限らず特殊な形状の面取りを行うものであってもよい。
【００４２】
本発明は、面取り加工装置に使用されることを前提として、被加工物Ｗを前記スローアウェイチップへ案内する平面視二本のガイド仮想線Ｌ１、Ｌ２が交差し、その交Ｃ点が当該取替可能な複数のスローアウェイチップにおける同一位置であり、且つ、スローアウェイチップは、当該交点Ｃへ向けてガイドされる被加工物Ｗに対する面取り刃を備えていればよい趣旨である。
【００４３】
尚、ガイド仮想線Ｌ１、Ｌ２の交点Ｃの具体的な位置は、本実施例１、２に限定されるものではなく、任意の共通する箇所とすることができる。しかしながら、上記実施例１及び実施例２で示したように、ガイド仮想線Ｌ１、Ｌ２の交点Ｃの具体的な位置は、平面視において対向する各辺の中点相互を結ぶ直線上で、且つ、取付穴１２に近接した位置とした場合には、スローアウェイチップの縁部までの距離がより大きく取れるため、より大きな切削寸法が可能となり、また多数の異なる切削寸法の面取りを行える点でより優れた効果が得られる。
【００４４】
上記実施例においてはいずれも面取り加工装置用スローアウェイチップセット１は３個のスローアウェイチップによって構成するものとしたが、本発明においては４個以上のスローアウェイチップによって構成することもできる。
【００４５】
また、面取り刃の細部形状等、例えば刃の傾斜角度や逃げ面の有無等は、自由に変更が行え、本発明はこれらの変更の範囲を含む。
【００４６】
また、本発明に係る面取り加工装置用スローアウェイチップセット１の製造、販売の形態は、代替可能な複数個をセットとして行うことができる。また、本発明に係る面取り加工装置用スローアウェイチップセット１には、個別に製造、販売等され、切削寸法が異なるスローアウェイチップについて共通するガイド仮想線Ｌ１、Ｌ２を有するものとして、これら個別に製造、販売等される複数の商品を、一つの面取り加工装置用スローアウェイチップセット１とするものを含む。
【符号の説明】
【００４７】
１      面取り加工装置用スローアウェイチップセット
１ａ    スローアウェイチップ
１ｂ    スローアウェイチップ
１ｃ    スローアウェイチップ
１ｄ    スローアウェイチップ
１ｅ    スローアウェイチップ
１ｆ    スローアウェイチップ
１０    Ｒ面取り刃
１１    逃げ面
１１ｂ  逃げ面
１１ｃ  逃げ面
１２    取付穴
１３    Ｃ面取り刃
Ｄ      面取り加工装置
２０    ガイド手段
２０ａ  ガイド面
２０ｂ  開口部
２１    筐体
２２    保持部
２３    モータ
２４    駆動部
ｄ１    第一ガイド板
ｄ２    第二ガイド板
Ｌ１    ガイド仮想線
Ｌ２    ガイド仮想線
Ｃ      交点
Ｗ      被加工物
【図１】
2015134391.tif 000003
【図２】
2015134391.tif 000004
【図３】
2015134391.tif 000005
【図４】
2015134391.tif 000006